(57)【特許請求の範囲】
【請求項１】
収納部と；
前記収納部の一方の端部に設けられた装着部と；
前記収納部の前記装着部側とは反対側に設けられた発光素子と；
一方の端部側が前記収納部の内部に設けられ、他方の端部側が前記装着部の表面に設けられ、前記発光素子と電気的に接続されたリード部と；
前記装着部の表面に設けられ、前記装着部の前記収納部側とは反対側の端部の近傍に位置し、前記リード部の前記収納部側とは反対側の端部の位置を保持する保持部と；
前記保持部と対峙し、前記装着部の、前記保持部が設けられる側とは反対側の表面から突出する凸部と；
を具備した車両用照明装置。
【請求項２】
前記保持部は、前記リード部が延びる方向と直交し、且つ、前記装着部の表面に平行な方向において、前記リード部の少なくとも片側に設けられている請求項１記載の車両用照明装置。
【請求項３】
前記リード部の前記収納部側とは反対側の端部近傍は、前記装着部の内部に向けて屈曲している請求項１または２に記載の車両用照明装置。
【請求項４】
前記装着部の前記保持部が設けられる側とは反対側の表面と車両用照明装置の中心軸との間の距離は、前記装着部の前記保持部が設けられる側の表面と前記中心軸との間の距離よりも長い請求項１〜３のいずれか１つに記載の車両用照明装置。
【請求項５】
前記リード部は、直線状の形態を有している請求項１〜４のいずれか１つに記載の車両用照明装置。
【請求項６】
前記凸部は、前記リード部が延びる方向に延びている請求項１〜５のいずれか１つに記載の車両用照明装置。
【請求項７】
前記凸部は、前記装着部の前記収納部側の端部と、前記装着部の前記収納部側とは反対側の端部の近傍との間を延びている請求項１〜６のいずれか１つに記載の車両用照明装置。
【請求項８】
前記凸部の頂部と車両用照明装置の中心軸との間の距離は、前記リード部と前記中心軸との間の距離と同じである請求項１〜７のいずれか１つに記載の車両用照明装置。
【発明の詳細な説明】
【技術分野】
【０００１】
本発明の実施形態は、車両用照明装置に関する。
【背景技術】
【０００２】
口金を有さないウェッジベース電球が車両用照明装置として用いられている。ウェッジベース電球は白熱電球である。そのため、省電力化、長寿命化などの観点から、ウェッジベース電球は、発光ダイオードを備えた車両用照明装置と置き換えられるようになってきている。  
ここで、ウェッジベース電球を発光ダイオードを備えた車両用照明装置と置き換える場合、ウェッジベース電球が装着されていたソケットはそのまま用いられる。そのため、発光ダイオードを備えた車両用照明装置のリード部は、ウェッジベース電球のリード部と同じ形状と寸法を有している。
【０００３】
ウェッジベース電球においては、ウェッジベース電球をソケットに装着した際に、リード部がめくれ上がらないように、リード部が本体部に沿ってＵ字状に折り返されている。そのため、発光ダイオードを備えた車両用照明装置のリード部も本体部に沿ってＵ字状に折り返されている。
【０００４】
リード部をＵ字状に折り返すようにすると、車両用照明装置をソケットに装着する際に、リード部がめくれ上がらないようにすることができる。ところが、リード部をＵ字状に折り返すようにすると、リード部の加工が困難となる。  
そのため、車両用照明装置をソケットに装着する際にリード部がめくれ上がるのを抑制することができ、且つ、リード部の加工が容易な車両用照明装置の開発が望まれていた。
【先行技術文献】
【特許文献】
【０００５】
【特許文献１】特開２０１３−２２４０７３号公報
【発明の概要】
【発明が解決しようとする課題】
【０００６】
本発明が解決しようとする課題は、車両用照明装置をソケットに装着する際にリード部がめくれ上がるのを抑制することができ、且つ、リード部の加工が容易な車両用照明装置を提供することである。
【課題を解決するための手段】
【０００７】
実施形態に係る車両用照明装置は、収納部と；前記収納部の一方の端部に設けられた装着部と；前記収納部の前記装着部側とは反対側に設けられた発光素子と；一方の端部側が前記収納部の内部に設けられ、他方の端部側が前記装着部の表面に設けられ、前記発光素子と電気的に接続されたリード部と；前記装着部の表面に設けられ、前記装着部の前記収納部側とは反対側の端部の近傍に位置し、前記リード部の前記収納部側とは反対側の端部の位置を保持する保持部と；前記保持部と対峙し、前記装着部の、前記保持部が設けられる側とは反対側の表面から突出する凸部と；を具備している。
【発明の効果】
【０００８】
本発明の実施形態によれば、車両用照明装置をソケットに装着する際にリード部がめくれ上がるのを抑制することができ、且つ、リード部の加工が容易な車両用照明装置を提供することができる。
【図面の簡単な説明】
【０００９】
【図１】図１（ａ）は、本実施の形態に係る車両用照明装置１を例示するための模式図である。図１（ｂ）は、図１（ａ）において車両用照明装置１をＡ方向から見た模式図である。図１（ｃ）は、図１（ｂ）におけるＢ部の模式拡大図である。
【図２】図２（ａ）は、比較例に係る車両用照明装置１０１を例示するための模式図である。図２（ｂ）は、図２（ａ）において車両用照明装置１０１をＣ方向から見た模式図である。
【図３】図３（ａ）は、他の実施形態に係る保持部６を例示するための模式図である。図３（ｂ）は、図３（ａ）において車両用照明装置１をＤ方向から見た模式図である。図３（ｃ）は、図３（ｂ）におけるＥ部の模式拡大図である。
【図４】図４（ａ）は、他の実施形態に係る保持部１６を例示するための模式図である。図４（ｂ）は、図４（ａ）において車両用照明装置１をＦ方向から見た模式図である。図４（ｃ）は、図４（ａ）において車両用照明装置１をＧ方向から見た模式図である。
【図５】図５（ａ）は、図４（ｃ）におけるＨ部の模式拡大図である。図５（ｂ）は、図５（ａ）における車両用照明装置１のＩ−Ｉ線方向の模式断面図である。
【図６】図６（ａ）は、他の実施形態に係る装着部２ｂを例示するための模式図である。図６（ｂ）は、図６（ａ）において車両用照明装置１をＪ方向から見た模式図である。
【図７】図７（ａ）は、他の実施形態に係る装着部２ｂを例示するための模式図である。図７（ｂ）は、図７（ａ）において車両用照明装置１をＫ方向から見た模式図である。
【発明を実施するための形態】
【００１０】
実施形態に係る発明は、収納部と；前記収納部の一方の端部に設けられた装着部と；前記収納部の前記装着部側とは反対側に設けられた発光素子と；一方の端部側が前記収納部の内部に設けられ、他方の端部側が前記装着部の表面に設けられ、前記発光素子と電気的に接続されたリード部と；前記装着部の表面に設けられ、前記装着部の前記収納部側とは反対側の端部の近傍に位置し、前記リード部の前記収納部側とは反対側の端部の位置を保持する保持部と；前記保持部と対峙し、前記装着部の、前記保持部が設けられる側とは反対側の表面から突出する凸部と；を具備した車両用照明装置である。
この車両用照明装置によれば、車両用照明装置をソケットに装着する際にリード部がめくれ上がるのを抑制することができる。また、リード部の加工が容易となる。
また、車両用照明装置をソケットに装着する際に、車両用照明装置が傾くのを抑制することができる。
【００１１】
また、前記保持部は、前記リード部が延びる方向と直交し、且つ、前記装着部の表面に平行な方向において、前記リード部の少なくとも片側に設けられているようにすることができる。  
この様にすれば、リード部の端部の位置を保持するのが容易となる。
【００１２】
また、前記リード部の前記収納部側とは反対側の端部近傍は、前記装着部の内部に向けて屈曲しているようにすることができる。  
この様にすれば、車両用照明装置をソケットに装着する際に、リード部がめくれ上がるのをさらに効果的に抑制することができる。
【００１３】
また、前記装着部の前記保持部が設けられる側とは反対側の表面と車両用照明装置の中心軸との間の距離は、前記装着部の前記保持部が設けられる側の表面と前記中心軸との間の距離よりも長くすることができる。
この様にすれば、車両用照明装置をソケットに装着する際に、車両用照明装置が傾くのを抑制することができる。また、車両用照明装置をソケットに装着するのが容易となる。
【００１５】
また、前記リード部は、直線状の形態を有しているものとすることができる。  
この様にすれば、リード部の加工がさらに容易となる。
【００１６】
以下、図面を参照しつつ、実施の形態について例示をする。なお、各図面中、同様の構成要素には同一の符号を付して詳細な説明は適宜省略する。  
本実施の形態に係る車両用照明装置１は、例えば、二輪車（オートバイ）、四輪車（自動車）、鉄道車両などに設けることができる。二輪車や四輪車に設けられる車両用照明装置１としては、例えば、制動灯、方向指示灯あるいは尾灯などに用いられるものを例示することができる。ただし、車両用照明装置１の用途は、これらに限定されるわけではない。
【００１７】
図１（ａ）は、本実施の形態に係る車両用照明装置１を例示するための模式図である。  図１（ｂ）は、図１（ａ）において車両用照明装置１をＡ方向から見た模式図である。  図１（ｃ）は、図１（ｂ）におけるＢ部の模式拡大図である。  
図１（ａ）〜図１（ｃ）に示すように、車両用照明装置１には、本体部２、発光モジュール３、カバー４、リード部５、および保持部６が設けられている。
【００１８】
本体部２は、収納部２ａおよび装着部２ｂを有する。  
収納部２ａの装着部２ｂ側とは反対側には発光モジュール３（基板３ａ）が設けられている。発光モジュール３は、収納部２ａの内部に収納される。そのため、収納部２ａは、筒状を呈している。収納部２ａは、例えば、円筒状を呈したものとすることができる。収納部２ａの装着部２ｂ側の端部は閉鎖されている。収納部２ａのカバー４側の端部は開口している。
【００１９】
装着部２ｂは、収納部２ａの、カバー４側とは反対側の端部に設けられている。装着部２ｂは、収納部２ａの閉鎖された側の端部に設けられている。  
装着部２ｂは、車両用灯具に設けられたソケットに装着される。そのため、装着部２ｂは、平板状を呈している。
【００２０】
本体部２は、収納部２ａおよび装着部２ｂを一体成形して形成することもできるし、これらを接合して形成することもできる。ただし、収納部２ａおよび装着部２ｂを一体成形すれば、外力に対する耐性の向上、製造コストの低減などを図ることができる。
【００２１】
本体部２は、発光モジュール３を収納する機能と、リード部５を絶縁する機能を有する。
そのため、収納部２ａおよび装着部２ｂは絶縁性材料から形成することが好ましい。絶縁性材料は、例えば、樹脂などの有機材料、セラミックス（例えば、酸化アルミニウムや窒化アルミニウムなど）やガラスなどの無機材料などとすることができる。  
この場合、軽量化、低コスト化を考慮して、収納部２ａおよび装着部２ｂは、樹脂などの有機材料から形成することが好ましい。
【００２２】
また、発光モジュール３において発生した熱を外部に伝えることを考慮して、収納部２ａおよび装着部２ｂを絶縁性と高い熱伝導率を有する材料から形成することもできる。絶縁性と高い熱伝導率を有する材料は、例えば、セラミックス（例えば、酸化アルミニウムや窒化アルミニウムなど）、高熱伝導性樹脂などとすることができる。高熱伝導性樹脂は、例えば、ＰＥＴ（Polyethylene terephthalate）やナイロン等の樹脂に、熱伝導率の高い酸化アルミニウムなどからなる繊維や粒子を混合させたものである。
【００２３】
発光モジュール３は、基板３ａ、発光素子３ｂ、抵抗３ｃ、および制御素子３ｄを有する。  
基板３ａは、平板状を呈している。基板３ａの表面には、配線パターンを設けることができる。配線パターンは、基板３ａの両面に設けることもできるし、基板３ａの片面に設けることもできる。なお、図１（ａ）に例示をしたものの場合には、配線パターンは、基板３ａの両面に設けられている。
【００２４】
基板３ａの材料や構造には特に限定はない。例えば、基板３ａは、セラミックス（例えば、酸化アルミニウムや窒化アルミニウムなど）などの無機材料、紙フェノールやガラスエポキシなどの有機材料などから形成することができる。また、基板３ａは、金属板の表面を絶縁性材料で被覆したものであってもよい。なお、金属板の表面を絶縁性材料で被覆する場合には、絶縁性材料は、有機材料からなるものであってもよいし、無機材料からなるものであってもよい。
【００２５】
発光素子３ｂの発熱量が多い場合には、放熱の観点から熱伝導率の高い材料を用いて基板３ａを形成することが好ましい。熱伝導率の高い材料としては、例えば、酸化アルミニウムや窒化アルミニウムなどのセラミックス、高熱伝導性樹脂、金属板の表面を絶縁性材料で被覆したものなどを例示することができる。  
また、基板３ａは、単層であってもよいし、多層であってもよい。なお、多層基板の場合には、配線パターンを基板３ａの内部に設けることもできる。
【００２６】
発光素子３ｂは、基板３ａのカバー４側の表面に設けられている。発光素子３ｂは、基板３ａの表面に設けられた配線パターンと電気的に接続されている。発光素子３ｂは、例えば、発光ダイオード、有機発光ダイオード、レーザダイオードなどとすることができる。
【００２７】
発光素子３ｂの形式には特に限定はない。  
発光素子３ｂは、例えば、ＰＬＣＣ（Plastic Leaded Chip Carrier）型などの表面実装型の発光素子とすることができる。なお、図１（ａ）に例示をした発光素子３ｂは、表面実装型の発光素子である。  
発光素子３ｂは、例えば、砲弾型などのリード線を有する発光素子とすることもできる。
【００２８】
また、発光素子３ｂは、ＣＯＢ（Chip On Board）により実装されるものとすることもできる。ＣＯＢにより実装される発光素子３ｂとする場合には、チップ状の発光素子３ｂと、発光素子３ｂと配線パターンを電気的に接続する配線と、発光素子３ｂと配線を囲む枠状の部材と、枠状の部材の内部に設けられた封止部などを基板３ａの上に設けることができる。
【００２９】
この場合、封止部には、蛍光体を含めることができる。蛍光体は、例えば、ＹＡＧ系蛍光体（イットリウム・アルミニウム・ガーネット系蛍光体）とすることができる。例えば、発光素子３ｂが青色発光ダイオード、蛍光体がＹＡＧ系蛍光体である場合には、発光素子３ｂから出射した青色の光によりＹＡＧ系蛍光体が励起され、ＹＡＧ系蛍光体から黄色の蛍光が放射される。そして、青色の光と黄色の光が混ざり合うことで、白色の光が車両用照明装置１から出射される。なお、蛍光体の種類や発光素子３ｂの種類は、例示をしたものに限定されるわけではない。蛍光体の種類や発光素子３ｂの種類は、車両用照明装置１の用途などに応じて所望の発光色が得られるように適宜変更することができる。
【００３０】
発光素子３ｂの光の出射面は、車両用照明装置１の正面側（カバー４側）に向けられている。発光素子３ｂは、主に、車両用照明装置１の正面側に向けて光を出射する。  
発光素子３ｂの数、大きさなどは、例示をしたものに限定されるわけではなく、車両用照明装置１の大きさや用途などに応じて適宜変更することができる。
【００３１】
抵抗３ｃは、基板３ａの収納部２ａ側の表面、もしくは、発光素子３ｂ側の表面に設けられている。抵抗３ｃは、基板３ａの表面に設けられた配線パターンと電気的に接続されている。抵抗３ｃは、発光素子３ｂに流れる電流を制御する。
【００３２】
発光素子３ｂの順方向電圧特性には、ばらつきがあるので、アノード端子と、グランド端子と、の間の印加電圧を一定にすると、発光素子３ｂの明るさ（光束、輝度、光度、照度）にばらつきが生じる。そのため、発光素子３ｂの明るさが所定の範囲内に収まるように、抵抗３ｃにより、発光素子３ｂに流れる電流の値が所定の範囲内となるようにする。この場合、抵抗３ｃの抵抗値を変化させることで、発光素子３ｂに流れる電流の値が所定の範囲内となるようにすることができる。
【００３３】
抵抗３ｃは、例えば、表面実装型の抵抗器、リード線を有する抵抗器（酸化金属皮膜抵抗器）、スクリーン印刷法などを用いて形成された膜状の抵抗器などとすることができる。なお、図１に例示をした抵抗３ｃは、膜状の抵抗器である。  
抵抗３ｃの数、大きさ、配置などは、例示をしたものに限定されるわけではなく、発光素子３ｂの数や仕様などに応じて適宜変更することができる。
【００３４】
なお、膜状の抵抗器は、抵抗値の調整が容易である。そのため、抵抗３ｃは膜状の抵抗器とすることが好ましい。この場合、抵抗値の調整は、以下の様にして行うことができる。まず、スクリーン印刷法などを用いて、基板３ａの表面に膜状の抵抗器（抵抗３ｃ）を形成する。次に、抵抗３ｃにレーザ光を照射して、抵抗３ｃの一部を除去する。そして、除去した部分の大きさなどにより、抵抗３ｃの抵抗値を変化させる。この場合、抵抗３ｃの一部を除去すれば、抵抗値は増加することになる。
【００３５】
制御素子３ｄは、基板３ａの収納部２ａ側の表面、もしくは、発光素子３ｂ側の表面に設けられている。制御素子３ｄは、基板３ａの表面に設けられた配線パターンと電気的に接続されている。  
制御素子３ｄは、逆方向電圧が発光素子３ｂに印加されないようにするため、および、逆方向からのパルスノイズが発光素子３ｂに印加されないようにするために設けられている。制御素子３ｄは、例えば、ダイオードとすることができる。
また、制御素子３ｄは、保護素子の他に、電流を制御する素子としても良い。この場合、制御素子３ｄは、例えば、抵抗、トランジスタ、コンデンサ等を用いた定電流回路等とすることができる。
発光素子３ｂを基板３ａのカバー４側の表面に実装し、抵抗３ｃおよび制御素子３ｄを基板３ａの収納部２ａ側の表面に実装すれば、スペース効率を向上させることができる。そのため、発光モジュール３の小型化、ひいては車両用照明装置１の小型化を図ることができる。
制御素子３ｄの数、種類、機能、組み合わせ、大きさ、配置などは、例示をしたものに限定されるわけではなく、発光素子３ｂの数や仕様などに応じて適宜変更することができる。また、抵抗３ｃと制御素子３ｄを兼用したり、どちらか一方を省略する構成としても良い。
【００３６】
また、配線パターンや膜状の抵抗器などを覆う被覆部を設けることもできる。被覆部は、例えば、ガラス材料を含むものとすることができる。
【００３７】
カバー４は、収納部２ａの開口を塞ぐように設けられている。カバー４は、透光性を有する材料から形成されている。透光性を有する材料は、例えば、ガラスなどの無機材料、透明樹脂などの有機材料などとすることができる。透明樹脂は、例えば、アクリル樹脂、ポリカーボネート樹脂などとすることができる。また、カバー４は、レンズなどの機能を有するものとすることもできる。
【００３８】
リード部５は、線状体である。リード部５は、直線状の形態を有している。リード部５の断面形状は、円形とすることができる。リード部５の断面寸法（直径寸法）は、例えば、０．４ｍｍ以上１．５ｍｍ以下とすることができる。リード部５は、例えば、銅などの導電性材料から形成することができる。
【００３９】
リード部５は、一対設けられている。一対のリード部５の一方は、装着部２ｂの一方の表面上に設けられ、一対のリード部５の他方は、装着部２ｂの反対側の表面上に設けられている。すなわち、一対のリード部５が、装着部２ｂを挟んで設けられている。一対のリード部５は、車両用照明装置１の中心軸１ａに対して点対称となる位置に設けることができる。なお、一対のリード部５は、装着部２ｂの同じ側の表面上に設けることもできる。
【００４０】
リード部５の、発光モジュール３側の端部側は、収納部２ａの内部に設けられている。リード部５の、発光モジュール３側の端部は、基板３ａを貫通し、基板３ａの表面に設けられた配線パターンと電気的に接続されている。
【００４１】
リード部５の、発光モジュール３側とは反対側の端部側は、収納部２ａから突出し、装着部２ｂの表面上に設けられている。リード部５の、発光モジュール３側とは反対側の端部は、装着部２ｂの、収納部２ａ側とは反対側の端部の近傍に位置している。
【００４２】
保持部６は、装着部２ｂの表面上に設けられている。保持部６は、装着部２ｂの、収納部２ａ側とは反対側の端部の近傍に位置している。保持部６は、リード部５の、収納部２ａ側とは反対側の端部の位置を保持する。  
保持部６は、絶縁性材料から形成されている。保持部６の材料は、装着部２ｂの材料と同じとすることができる。保持部６は、装着部２ｂと一体に形成することができる。
【００４３】
保持部６の断面寸法は、リード部５の断面寸法よりも僅かに長くなっている。保持部６の頂部６ａと装着部２ｂの表面との間の距離Ｌ１は、リード部５と装着部２ｂの表面との間の距離Ｌ２よりも短くなるようにすることが好ましい。
【００４４】
ここで、リード部５の、装着部２ｂの表面上にある部分の全体を保持するようにすると、リード部５を本体部２に組み付ける際に、リード部５が変形したり、傷や凹みが生じたりするおそれがある。
【００４５】
そのため、本実施の形態においては、保持部６は、リード部５の、収納部２ａ側とは反対側の端部の位置を保持するようにしている。  
この様にすれば、リード部５を本体部２に組み付ける際に、リード部５が変形したり、傷や凹みが生じたりするのを抑制することができる。
【００４６】
装着部２ｂには、リード部５の位置決めを行う溝２ｂ１を設けることが好ましい。溝２ｂ１は、リード部５の位置決めをするために設けられる。そのため、溝２ｂ１は、保持部６と同芯となるように設けられている。すなわち、溝２ｂ１の中心軸と、保持部６の中心軸は、ほぼ同じ位置にある。また、溝２ｂ１の断面寸法は、保持部６の断面寸法よりも僅かに長くすることが好ましい。溝２ｂ１の深さ寸法Ｌ３は、リード部５の半径寸法以下とすることが好ましい。
【００４７】
溝２ｂ１を設けるようにすれば、リード部５を本体部２に組み付ける際に、溝２ｂ１により、リード部５の先端を保持部６に導くことができる。溝２ｂ１はリード部５の位置決めを行うが、リード部５を保持するわけではない。そのため、リード部５を本体部２に組み付ける際に、溝２ｂ１により、リード部５が変形したり、傷や凹みが生じたりすることはない。
【００４８】
ここで、リード部５の、収納部２ａ側とは反対側の端部側を装着部２ｂに沿ってＵ字状に折り返すようにすると、車両用照明装置１をソケットに装着する際に、リード部５がめくれ上がらないようにすることができる。  
図２（ａ）は、比較例に係る車両用照明装置１０１を例示するための模式図である。  
図２（ｂ）は、図２（ａ）において車両用照明装置１０１をＣ方向から見た模式図である。
【００４９】
図２（ａ）、（ｂ）に示すように、車両用照明装置１０１には、本体部２、発光モジュール３、カバー４、およびリード部１０５が設けられている。
【００５０】
リード部１０５の、収納部２ａ側とは反対側の端部１０５ａ側は、装着部２ｂに沿ってＵ字状に折り返されている。この様にすれば、車両用照明装置１をソケットに装着する際に、リード部１０５がめくれ上がらないようにすることができる。  
ところが、製造工程においてリード部１０５をＵ字状に折り返す際に、折り返し部分の一部が膨らむと、車両用照明装置１がソケットに装着できなくなるおそれがある。
【００５１】
この場合、治具などを用いてリード部１０５をＵ字状に折り返えせば、リード部１０５が膨らむのを抑制することができる。しかしながら、治具とリード部１０５との間に異物が侵入したり、長期間の使用により治具の各動作部に摩耗が生じ加工精度が低下したりすると、リード部１０５に傷や凹みが生じるおそれがある。
【００５２】
そのため、本実施の形態においては、リード部５の、収納部２ａ側とは反対側の端部側は、直線状の形態を有している。すなわち、リード部５の、収納部２ａ側とは反対側の端部側は、折り返されていない。この様にすれば、製造工程においてリード部５に傷や凹みが生じるのを抑制することができる。
【００５３】
しかしながら、リード部５の、収納部２ａ側とは反対側の端部側が直線状の形態を有している場合には、車両用照明装置１をソケットに装着する際に、リード部５がめくれ上がるおそれがある。  
そのため、本実施の形態においては、リード部５の、収納部２ａ側とは反対側の端部の位置を保持する保持部６を設けるようにしている。  
この様にすれば、車両用照明装置１をソケットに装着する際にリード部５がめくれ上がるのを抑制することができ、且つ、リード部５の加工を容易とすることができる。
【００５４】
また、装着部２ｂに溝２ｂ１を設けるようにすれば、リード部５を本体部２に組み付ける際に、リード部５の先端部分を保持部６の内部に挿入するのが容易となる。そのため、製造工程においてリード部５に変形、傷、凹みなどが生じるのをさらに効果的に抑制することができる。
【００５５】
図３（ａ）は、他の実施形態に係る保持部６を例示するための模式図である。  
図３（ｂ）は、図３（ａ）において車両用照明装置１をＤ方向から見た模式図である。  図３（ｃ）は、図３（ｂ）におけるＥ部の模式拡大図である。  
図１（ａ）〜図１（ｃ）に例示をした保持部６は、リード部５が延びる方向と直交し、且つ、前記装着部の表面に平行な方向において、リード部５の両側に設けられていた。本実施の形態に係る保持部６は、図３（ａ）〜図３（ｃ）に示すように、リード部５が延びる方向と直交し、且つ、前記装着部の表面に平行な方向において、リード部５の片側に設けられている。  
すなわち、保持部６は、リード部５が延びる方向と直交し、且つ、前記装着部の表面に平行な方向において、リード部５の少なくとも片側に設けられていればよい。
【００５６】
リード部５の片側に保持部６を設けるようにすれば、保持機構を簡略化できる。
【００５７】
図４（ａ）は、他の実施形態に係る保持部１６を例示するための模式図である。  
図４（ｂ）は、図４（ａ）において車両用照明装置１をＦ方向から見た模式図である。  図４（ｃ）は、図４（ａ）において車両用照明装置１をＧ方向から見た模式図である。  図５（ａ）は、図４（ｃ）におけるＨ部の模式拡大図である。  
図５（ｂ）は、図５（ａ）における車両用照明装置１のＩ−Ｉ線方向の模式断面図である。
【００５８】
図４（ａ）〜図４（ｃ）、図５（ａ）、図５（ｂ）に示すように、リード部５の、収納部２ａ側とは反対側の端部近傍は、装着部２ｂの内部に向けて屈曲している。  
保持部１６は、装着部２ｂの、収納部２ａ側とは反対側の端部の近傍に設けられている。保持部１６は、リード部５の、収納部２ａ側とは反対側の端部の位置を保持している。保持部１６は、リード部５の先端部分が挿入される孔とすることができる。保持部１６の断面寸法（孔の断面寸法）は、リード部５の断面寸法よりも僅かに長くなっている。
また、装着部２ｂの、保持部１６が設けられる部分の表面２ｂ２は、盛り上がっているようにすることができる。なお、装着部２ｂの、保持部１６が設けられる部分の表面２ｂ２は、平坦となっていてもよい。
【００５９】
この場合、装着部２ｂの、保持部１６が設けられる部分の表面２ｂ２と、装着部２ｂの、保持部１６が設けられていない部分の表面２ｂ３との間の距離Ｌ４は、リード部５と装着部２ｂの表面２ｂ３との間の距離Ｌ５よりも短くなるようにすることが好ましい。  
この様にすれば、車両用照明装置１をソケットに装着する際に、装着部２ｂの、保持部１６が設けられる部分がソケットに設けられた電極に引っかかるのを抑制することができる。
【００６０】
また、リード部５の、収納部２ａ側とは反対側の端部近傍は、装着部２ｂの内部に向けて屈曲しているので、車両用照明装置１をソケットに装着する際に、リード部５がめくれ上がるのをさらに効果的に抑制することができる。
【００６１】
図６（ａ）は、他の実施形態に係る装着部２ｂを例示するための模式図である。  
図６（ｂ）は、図６（ａ）において車両用照明装置１をＪ方向から見た模式図である。
図６（ａ）、（ｂ）に示すように、装着部２ｂの保持部６が設けられる側とは反対側の表面と車両用照明装置１の中心軸１ａとの間の距離は、装着部２ｂの保持部６が設けられる側の表面と中心軸１ａとの間の距離よりも長くしている。すなわち、装着部２ｂを偏芯させている。また、装着部２ｂの、保持部６が設けられる側とは反対側の表面は平坦面とすることができる。
この場合、装着部２ｂの、保持部６が設けられる側とは反対側の表面と車両用照明装置１の中心軸１ａとの間の距離Ｌ６は、リード部５と車両用照明装置１の中心軸１ａとの間の距離Ｌ７と同じとなるようにすることが好ましい。
この様にすれば、車両用照明装置１をソケットに装着する際に、車両用照明装置１が傾くのを抑制することができる。また、車両用照明装置１をソケットに装着するのが容易となる。
【００６２】
図７（ａ）は、他の実施形態に係る装着部２ｂを例示するための模式図である。  
図７（ｂ）は、図７（ａ）において車両用照明装置１をＫ方向から見た模式図である。  図７（ａ）、（ｂ）に示すように、装着部２ｂの表面には、凸部２ｂ４をさらに設けることができる。凸部２ｂ４は、装着部２ｂの、保持部６が設けられる側とは反対側の表面から突出している。  
凸部２ｂ４は、リード部５が延びる方向に延びた形態を有している。凸部２ｂ４は、例えば、装着部２ｂの収納部２ａ側の端部と、装着部２ｂの、収納部２ａ側とは反対側の端部の近傍との間を延びている。  
凸部２ｂ４の断面形状には、特に限定はない。例えば、凸部２ｂ４の断面形状は、半円とすることもできるし、長方形や台形などの多角形とすることもできる。  
凸部２ｂ４の材料は、装着部２ｂの材料と同じとすることができる。凸部２ｂ４は、装着部２ｂと一体に形成することができる。
【００６３】
凸部２ｂ４は、装着部２ｂの、保持部６が設けられる側とは反対側に設けられている。凸部２ｂ４の配設位置には特に限定はないが、凸部２ｂ４は、保持部６と対峙する位置に設けることが好ましい。  
また、凸部２ｂ４の頂部２ｂ４ａと車両用照明装置１の中心軸１ａとの間の距離Ｌ６は、リード部５と車両用照明装置１の中心軸１ａとの間の距離Ｌ７と同じとなるようにすることが好ましい。  
凸部２ｂ４を設けるようにすれば、車両用照明装置１をソケットに装着する際に、車両用照明装置１が傾くのを抑制することができる。
【００６４】
なお、装着部２ｂの表面から突出する凸部２ｂ４を例示したが、装着部２ｂの、保持部６が設けられる側とは反対側の表面と車両用照明装置１の中心軸１ａとの間の距離が、リード部５と車両用照明装置１の中心軸１ａとの間の距離と同じとなるようにすることもできる。すなわち、装着部２ｂは、保持部６が設けられる側とは反対側が厚くなっているようにすることもできる。
【００６５】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００６６】
１  車両用照明装置、２  本体部、２ａ  収納部、２ｂ  装着部、２ｂ１  溝、２ｂ２  表面、２ｂ３  表面、２ｂ４  凸部、３  発光モジュール、３ａ  基板、３ｂ  発光素子、５  リード部、６  保持部
【図１】
0006666585.tif 000002
【図２】
0006666585.tif 000003
【図３】
0006666585.tif 000004
【図４】
0006666585.tif 000005
【図５】
0006666585.tif 000006
【図６】
0006666585.tif 000007
【図７】
0006666585.tif 000008